(57)【要約】【課題】  代替音声を再生出力する動作中に、再生映像データに応じて関連音声データの出力に自動切替えするようにする。【解決手段】  映像記録媒体（１６）には、映像データと、映像データに関連する関連音声データ（例えば主音声データ）が格納される。代替音声記録媒体（１８）には代替音声データが記録される。音声選択手段（２４）は、関連音声データと代替音声データの一方を選択して音声再生手段（３０）に供給する。映像再生手段（２６）は、映像記録媒体（１６）から読み出された映像データを再生（復号）する。映像解析手段（３６）は、映像再生手段（２６）により再生される映像データを解析し、解析条件記憶手段（３４）に記憶される解析条件と合致するか否かを判断する。ＣＰＵ（１２）は、映像解析手段（３６）の解析結果により音声選択手段（２４）による音声選択を制御する。【選択図】  図１
2010171478.tif 000002
【特許請求の範囲】
【請求項１】
映像データ、前記映像データに関連する関連音声データ、前記関連音声データを代替する代替音声データを記録する記録媒体と、
前記記録媒体から読み出される前記映像データを再生する映像再生手段と、
前記記録媒体から読み出される前記関連音声データ及び前記代替音声データを選択する音声選択手段と、
前記音声選択手段で選択された音声データを再生する音声再生手段と、
前記映像再生手段により再生される映像データを解析し、解析条件に合致するか否かを判断する映像解析手段と、
前記映像解析手段の解析結果に従い、前記音声選択手段の音声選択を制御する制御手段
とを有することを特徴とする再生装置。
【請求項２】
映像データ、前記映像データに関連する関連音声データ、前記関連音声データを代替する代替音声データを記録する記録媒体と、
前記記録媒体から読み出される前記映像データを再生する映像再生手段と、
前記記録媒体から読み出される前記関連音声データ及び前記代替音声データを選択する音声選択手段と、
前記記録媒体から読み出される前記関連音声データを再生する関連音声の音声再生手段と、
前記記録媒体から読み出される代替音声データを再生する代替音声の音声再生手段と、
前記関連音声の音声再生手段及び前記代替音声の音声再生手段により再生された音声信号を混合する音声混合手段と、
前記映像再生手段により再生される映像データを解析し、解析条件に合致するか否かを判断する映像解析手段と、
前記映像解析手段の解析結果に従い、前記関連音声の音声再生手段及び前記代替音声の音声再生手段の動作、又は前記音声混合手段の混合比を制御する制御する制御手段
とを有することを特徴とする再生装置。
【請求項３】
更に、
前記解析条件を設定する手段と、
設定された前記解析条件を記憶する解析条件記憶手段
とを有することを特徴とする請求項１又は２に記載の再生装置。
【請求項４】
前記映像解析手段は、前記記録媒体から読み出された映像データの再生画像、または前記映像データに付随する撮影情報を解析することを特徴とする請求項１又は２に記載の再生装置。
【請求項５】
前記映像解析手段は顔認識手段を有し、前記記録媒体から読み出された映像データの再生画像から顔を認識する請求項１乃至４の何れか１項に記載の再生装置。
【請求項６】
前記映像解析手段は動き検出手段を有し、前記記録媒体から読み出された映像データの再生画像の被写体に動きがあるか否かを解析する請求項１乃至５の何れか１項に記載の再生装置。
【請求項７】
前記解析条件は、撮影条件として、フォーカス、シャッタスピード、絞り値、ホワイトバランス、手ぶれ補正の有無、感度、ズーム倍率、記録ビットレート、フレームレート、解像度、アスペクト、記録日時、エリア情報、記録フォーマットの少なくとも１つを指定できることを特徴とする請求項１乃至６の何れか１項に記載の再生装置。
【請求項８】
前記記録媒体が、前記映像データ及び関連音声データを記録する映像記録媒体と、前記代替音声データを記録する代替音声記録媒体とからなる請求項１乃至７の何れか１項に記載の再生装置。
【発明の詳細な説明】
【技術分野】
【０００１】
本発明は再生装置に関し、特に、映像の内容に応じて、映像に付加される音声の再生と代替音声の再生を切り替える再生装置に関する。
【背景技術】
【０００２】
従来、映像データに対し直接関連付けられていない代替音声データを映像と共に再生する技術が存在する。テレビ放送の副音声やＤＶＤ（Digital Versatile Disk）の他言語対応等で採用されている。これらは、基本的に、ユーザの選択に従い、映像と共に再生する音声を切り替える。
【０００３】
この技術に対し、デフォルトの音声とメニュー言語を選択可能なＴＶ受像機に対し、特許文献１には、ユーザの利便性を図った次のような技術が提案されている。すなわち、デフォルトの音声とメニュー言語が一致する場合には主音声を出力し、不一致の場合には、放送信号の内容に応じて主音声又は副音声を出力する。また、特許文献２には、経路案内画面にて音楽を再生中に音声経路案内を出力する場合に、経路案内の出力音声をミュートする技術が記載されている。
【特許文献１】特開２００７−２８１９２２号公報
【特許文献２】特開２０００−２３０８３２号公報
【発明の開示】
【発明が解決しようとする課題】
【０００４】
特許文献１に開示された従来技術では、再生開始から終了まで副音声のみの出力となり、ユーザが指定しない限り映像に直接関連付けられた音声は聞くことができない。
【０００５】
このような問題は、ディスク媒体で供給される音声付きの映像情報を再生する際にも発生しうる。例えば、複数言語の音声が記録された記録映像等がある。また、主言語以外の音声を別の媒体で、例えば、インターネット経由でダウンロードすることで、映像に対して複数の言語の音声を用意できることがある。
【０００６】
また、特許文献２に開示された従来技術では、音声を出力する必要に迫られたタイミングに効率よく音声案内をユーザに聞かせる為のものであり、映像に関しては考慮されていない。
【０００７】
そこで、本発明は、再生される映像データに応じて適切な音声に切り替える再生装置を提示することを目的とする。
【課題を解決するための手段】
【０００８】
上記の課題を解決するため、本発明に係る再生装置は、映像データ、前記映像データに関連する関連音声データ、前記関連音声データを代替する代替音声データを記録する記録媒体と、前記記録媒体から読み出される前記映像データを再生する映像再生手段と、前記記録媒体から読み出される前記関連音声データ及び前記代替音声データを選択する音声選択手段と、前記音声選択手段で選択された音声データを再生する音声再生手段と、前記映像再生手段により再生される映像データを解析し、解析条件に合致するか否かを判断する映像解析手段と、前記映像解析手段の解析結果に従い、前記音声選択手段の音声選択を制御する制御手段とを有することを特徴とする。
【０００９】
本発明に係る再生装置は、映像データ、前記映像データに関連する関連音声データ、前記関連音声データを代替する代替音声データを記録する記録媒体と、前記記録媒体から読み出される前記映像データを再生する映像再生手段と、前記記録媒体から読み出される前記関連音声データ及び前記代替音声データを選択する音声選択手段と、前記記録媒体から読み出される前記関連音声データを再生する関連音声の音声再生手段と、前記記録媒体から読み出される代替音声データを再生する代替音声の音声再生手段と、前記関連音声の音声再生手段及び前記代替音声の音声再生手段により再生された音声信号を混合する音声混合手段と、前記映像再生手段により再生される映像データを解析し、解析条件に合致するか否かを判断する映像解析手段と、前記映像解析手段の解析結果に従い、前記関連音声の音声再生手段及び前記代替音声の音声再生手段の動作、又は前記音声混合手段の混合比を制御する制御する制御手段とを有することを特徴とする。
【発明の効果】
【００１０】
本発明によれば、再生中の映像データが予め設定してある解析条件を満たした場合に、関連音声データと代替音声データを切り替える、又は、ミュートされていた音声を出力するように自動切替えする再生装置を実現できる。
【発明を実施するための最良の形態】
【００１１】
以下、図面を参照して、本発明の実施例を詳細に説明する。
【実施例１】
【００１２】
図１は、本発明の一実施例である再生装置の概略構成ブロック図である。図１を参照して、本実施例に係る再生装置１０の構成と主要な機能を説明する。ＣＰＵ１２は、ＲＡＭ１４を利用して、再生装置１０の各部の動作を制御する。ＲＡＭ１４は、制御に必要な種々のデータが格納され、制御のためのワークエリアとしても使用される。
【００１３】
映像記録媒体１６には、映像データと、映像データに関連する音声データ（関連音声データという）が格納される。本実施例では、映像記録媒体１６は、システムに内蔵される場合と、外付けされる場合がある。映像記録媒体１６の記録データは、ＭＰＥＧストリームに代表されるように音声データと映像データを多重化した構成でも、音声データと映像データが互いに関連付けられた別ストリーム又は別ファイルからなる構成でもよい。
【００１４】
代替音声記録媒体１８には、映像記録媒体１６に記録される関連音声データに代替して再生される代替音声データが記録される。代替音声記録媒体１８は、物理的には、映像記録媒体１６と同じ記録媒体であってもよいが、理解を容易にするために、別であるかのように図示した。
【００１５】
再生装置１０は、映像記録媒体Ｉ／Ｆ（インターフェース）２０により、映像記録媒体１６の映像データ及び関連音声データを読み込むことができる。また、再生装置１０は、代替音声記録媒体Ｉ／Ｆ２２により、代替音声記録媒体１８の代替音声データを読み込むことができる。この読み出しのために、ＣＰＵ１２は、映像記録媒体Ｉ／Ｆ２０及び代替音声記録媒体Ｉ／Ｆ２２を制御する。
【００１６】
例えば、映像記録媒体１６に記録される音声は映像データに対する主音声である。他方、代替音声記録媒体１８に記録される代替音声は、主音声とは異なる言語の、主音声と同じ内容の副音声、又は、主音声とは同じ言語の、主音声とは異なる内容の副音声である。前者は、例えば、同時通訳放送に相当し、後者はスポーツ中継の別に解説者による副音声に相当する。放送信号の場合、映像記録媒体Ｉ／Ｆ２０は、映像データと主音声データを放送信号から分離抽出する手段に相当し、代替音声記録媒体Ｉ／Ｆ２２は、副音声データを放送信号から分離抽出する手段に相当する。
【００１７】
音声選択手段２４は、ＣＰＵ１２からの指示により映像記録媒体１６及び代替音声記録媒体１８からの記録データの読込みと、関連音声データと代替音声データの切替えを担当する。切替えの詳細は後述する。
【００１８】
映像再生手段２６は、映像記録媒体１６から読み出された映像データを表示装置２８で表示可能な形式に再生（復号）。表示装置２８は、映像再生手段２６により復号された映像を表示し、また、メニュー画面等を表示する。
【００１９】
音声再生手段３０は、音声選択手段２４により選択された音声データを音声出力装置３２で音響出力可能な形式に再生（復号）する。音声出力装置３２は、音声再生手段３０により復号された音声を音響出力するスピーカである。
【００２０】
解析条件記憶手段３４は、映像解析手段３６の解析条件を記憶する。解析条件記憶手段３４は、物理的には、ＲＡＭ１４、映像記録媒体１６又は代替音声記録媒体１８と同一媒体であってもよい。
【００２１】
映像解析手段３６は、映像再生手段２６により再生される映像データを解析して、解析条件記憶手段３４に記憶される解析条件と合致するか否かを判断する。映像再生手段２６により復号された再生画像そのものを解析する場合と、再生対象の映像データに付随する撮影情報を解析する場合とがある。
【００２２】
操作部３８は、ユーザが再生装置１０に指示入力を行う十字キー、決定キー、又は選択キー等からなる。
【００２３】
図２乃至図５を参照して、解析条件の例と解析条件を解析条件記憶手段３４に格納する方法を説明する。
【００２４】
図２は、解析条件記憶手段３４に解析条件を設定する解析条件設定画面例を示す。この画面例では、表示装置２８の画面上に表示されるボタン類を操作部３８の選択／決定キー等で操作指示することで、所望の解析条件を再生装置１０に入力する。４０は、操作部３８に属する十字キーである。４２は、操作部３８に属する決定キーである。表示装置２８の画面上には、選択可能な複数の解析条件が選択肢として表示される。その選択肢中で、十字キー４０によりユーザが暫定的に選択中の選択肢に矢印形状の条件選択アイコン４４が付記される。４６は、操作部３８に属する条件設定画面終了キーである。
【００２５】
図２に示す解析条件設定画面上で、ユーザは、予め設定されている解析条件の一覧から任意の解析条件を選択する。具体的には、ユーザは、表示装置２８の画面上で、十字キー４０の上下キーを操作することで、表示されている解析条件（選択肢）のうちの所望の一つの左側に条件選択アイコン４４を移動させる。条件選択アイコン４４が希望の解析条件を指示している状態で、決定キー４２を操作することにより、その解析条件が確定的に選択される。この操作を繰り返すことで、表示される複数の解析条件から、実際に適用する１又は複数の解析条件を指定できる。複数の解析条件を指定した場合に、それらの解析条件が論理和として適用されるか、論理積として適用されるかは、ユーザの指定による。
【００２６】
例えば、図２に示す例では、「映像に顔がある場合」と「映像に動きがある場合」が選択決定されると、解析条件記憶手段３４に「顔認識技術」と「動き検出技術」が設定される。映像解析手段３６は、再生画像を解析し、解析条件記憶手段３４に記憶される解析条件に合致するか否かを判断する。複数の解析条件がある場合で、これらの解析条件を論理和とするときには、再生画像上で、顔が認識されるか、又は被写体の動きが検出されると、解析条件に合致したことになる。複数の解析条件がある場合で、これらの解析条件を論理積とするときには、再生画像上で、顔が認識され、且つ被写体の動きが検出されると、解析条件に合致したことになる。
【００２７】
図２に示す例で、「カメラデータ選択」と「シーン選択」に対しては、第２の操作画面に遷移し、詳細な条件を選択設定できる。「カメラデータ選択」に関しては図３を参照して説明し、「シーン選択」に関しては図４を参照して説明する。
【００２８】
条件設定画面終了キー４６を操作することにより、ＣＰＵ１２は、解析条件設定操作を終了し、選択された１又は複数の解析条件を解析条件記憶手段３４に格納する。
【００２９】
図３は、カメラデータ選択の解析条件選択画面例を示す。図３に示す画面例の基本構成は、図２と同じである。５０は、操作部３８に属する十字キーである。５２は、操作部３８に属する決定キーである。５４は、表示されるカメラデータ項目中で、十字キー４０によりユーザが暫定的に選択中の項目を示す条件選択アイコンである。５６は、カメラデータの各項目の選択／非選択を表示する条件選択済カーソルである。５８は、選択した項目が複数ある場合の扱い（論理和／論理積）を指定する複数条件動作指定である。６０は、操作部３８に属する条件設定画面終了キーである。
【００３０】
図３における条件指定操作を説明する。ユーザは、図３に示すカメラデータ、すなわち撮影条件の条件一覧から任意の１以上の項目について、適用するパラメータを選択する。図３に示す例では、フォーカス、シャッタスピード、絞り値、ホワイトバランス、手ぶれ補正の有無、感度、ズーム倍率、記録ビットレート、フレームレート、解像度、アスペクト、記録日時、エリア情報、記録フォーマットを選択できる。
【００３１】
具体的には、ユーザは、表示装置２８に表示されているカメラデータの項目一覧に対し、十字キー５０の上下キーを操作することによりカメラデータ条件選択アイコン５４を移動させる。十字キー５０の左右キーを操作することにより、選択中のカメラデータ項目に対して条件選択済カーソル５６を非選択（「Ｎｏｏ」）又はパラメータ値の表示上に移動させることができる。図３の例では、「Ｎｏ」という表示に条件選択済みカーソル５６が位置する場合、そのカメラデータ項目は、解析条件としては設定されない。
【００３２】
十字キー５０の上下キーと左右キーにより、条件動作指定５８の「ＡＮＤ」（＝論理積）又は、「ＯＲ」（＝論理和）を選択できる。図３に示す画面上の選択結果では、シャッタスピード＝１／２４、記録ビットレート＝２４Ｍｂｐｓ、及び解像度＝１９２０×１０８０という３つの条件を同時に満たすことが、解析条件となる。ちなみに、これらの要素に対して、「ＯＲ」（＝論理和）が設定された場合には、何れかの１つでも満たせば良いという解析条件になる。
【００３３】
最終的に、条件設定画面終了キー６０を操作することにより、ＣＰＵ１２は、選択された１又は２以上の項目を含む解析条件を解析条件記憶手段３４に格納し、カメラデータ条件設定画面を終了する。
【００３４】
図４は、映像データのシーン指定による条件設定画面例を示す。７０は、操作部３８に属する十字キーである。７２は、操作部３８に属する決定キーである。７４は、表示装置２８に表示される、映像記録媒体１６に記録される映像データの映像一覧表示である。７６は、映像一覧表示７４上でユーザの選択映像を示す選択済みアイコンである。図示例では、選択済みアイコン７６は、選択された映像の右下に重ねて表示される丸マークからなる。７８は、映像一覧表示７４上でユーザが十字キー７０の上下左右キーを操作することにより選択した映像を示す選択中カーソルである。図示例では、選択中カーソル７８は、選択された映像に付加される枠として表示される。８０は、映像一覧表示７４に次ページが存在することを示す次ページアイコンである。なお、図４には表示していないが、前ページが存在する場合には、前ページアイコンが表示される。８２は、操作部３８に属する条件設定画面終了キーである。
【００３５】
図４における選択手順を説明する。ユーザは、十字キー７０の上下左右キーを操作することにより、映像一覧表示７４より任意の一つの映像を選択する。選択された映像に選択中カーソル７８が表示される。選択中カーソル７８が表示された状態で決定キー７２を操作すると、選択中の映像データに選択済みアイコン７６が表示される。選択済みアイコン７６が表示された映像データに対して決定キー７２を操作すると、選択済みアイコン７６が消え、選択済みが解除される。十字キー７０により選択中カーソル７８を次ページアイコン８０の位置まで移動させると、表示装置２８に表示し切れなかった映像が次ページに表示される。
【００３６】
条件設定画面終了キー８２を操作すると、ＣＰＵ１２は、選択済みアイコン７６が表示される映像を解析条件として解析条件記憶手段３４に記憶し、シーン指定による条件設定画面を終了する。
【００３７】
図５は、ＣＰＵ１２の解析条件設定手続きのフローチャートである。解析条件設定処理が始まると、ＣＰＵ１２は、表示装置２８に対し図２に示すような解析条件一覧表示を出力する（Ｓ１）。ＣＰＵ１２は、操作部３８を監視し、ユーザ操作により選択された解析条件を内部に保持する。解析条件の入力が終了するまで（Ｓ２）、解析条件の一覧表示を継続する（Ｓ１）。
【００３８】
解析条件の入力が終了すると（Ｓ２）、ＣＰＵ１２は、解析条件が設定されたか否かを判別する（Ｓ３）。解析条件が設定されていない場合（Ｓ３）、その旨を表示装置２８に表示することによりユーザに警告する（Ｓ５）。警告の表示例を図６に示す。解析条件が選択又は設定されていると（Ｓ３）、設定された所定条件を解析条件記憶手段３４に格納する（Ｓ４）。
【００３９】
本実施例の特徴的な動作を説明する。映像記録媒体１６には、音声を含む映像データが記録済みであり、代替音声記録媒体１８には代替音声データが記録済みであるとする。解析条件記憶手段３４には、”顔認識”を条件とする旨が記録済みであるとする。
【００４０】
ユーザから再生を指示されると、ＣＰＵ１２は、映像記録媒体Ｉ／Ｆ２０に映像データと関連音声データの読み込みを指示し、代替音声記録媒体Ｉ／Ｆ２２に代替音声データの読み込みを指示する。映像記録媒体Ｉ／Ｆ２０は、ＣＰＵ１２からの指示に従い映像記録媒体１６から映像データと関連音声データを読み込み、映像データを映像再生手段２６に、関連音声データを音声選択手段２４に供給する。代替音声記録媒体Ｉ／Ｆ２２は、ＣＰＵ１２からの指示に従い代替音声記録媒体１８から代替音声データを読み込み、音声選択手段２４に供給する。関連音声データと代替音声データは、映像の再生表示に同期して出力可能なタイミングで再生装置１０に読み込まれる。
【００４１】
映像記録媒体Ｉ／Ｆ２０及び代替音声記録媒体Ｉ／Ｆ２２は関連音声データ及び代替音声データ自体をそれぞれ記録媒体１６，１８から実際に読み出さずに、それらの読出し位置を示すアドレス又はポインタを更新するだけでもよい。そうすれば、必要時に、記録媒体１６，１８からこれらの音声データを必要な位置から読み込むことができる。
【００４２】
映像記録媒体Ｉ／Ｆ２０は、映像記録媒体１６からの映像データを映像再生手段２６に供給する。映像再生手段２６は、供給された映像データを順次復号し、表示装置２８に映像を出力する。映像記録媒体Ｉ／Ｆ２０はまた、映像記録媒体１６からの関連音声データを音声選択手段２４に供給する。代替音声記録媒体Ｉ／Ｆ２２は、代替音声記録媒体１８から代替音声データを音声選択手段２４に供給する。ＣＰＵ１２は、音声選択手段２４に関連音声データと代替音声データのどちらを選択するかを指示する。音声選択手段２４は、ＣＰＵ１２からのこの音声選択指示に従い、関連音声データ又は代替音声データを音声再生手段に供給する。ＣＰＵ１２が関連音声と代替音声のどちらの出力を指示するかは、後述する。音声再生手段３０は、音声選択手段２４から供給される音声データを順次、復号し、音声出力装置３２に出力する。
【００４３】
映像再生中、映像解析手段３６は、解析条件記憶手段３４に記憶される解析条件に従い、映像再生手段２６で再生される映像データ、たとえば再生画像及び／または撮影条件などを解析する。解析条件記憶手段３４に解析条件を設定する方法については、後述する。映像解析手段３６は、解析結果が合致している期間、その旨をＣＰＵ１２に通知する。ＣＰＵ１２は、解析結果が合致している期間、映像記録媒体１６からの関連音声を選択するように音声選択手段２４に指示する。この指示に従い、音声選択手段２４は、関連音声データを音声再生手段３０に供給する。
【００４４】
また、映像解析手段３６の解析結果が合致しなくなると、ＣＰＵ１２は、代替音声記録媒体１８からの音声を選択するように音声選択手段２４に指示する。この指示に従い、音声選択手段２４は、代替音声データを音声再生手段３０に供給する。
【００４５】
このような動作により、本実施例では、再生中の映像が所定の解析条件に合致する間は、再生中の映像に付加された音声が再生され、解析条件に合致しないときには、代替音声が再生される。
【００４６】
再生画像が解析条件に合致するときには、再生画像に関連する音声の再生を強制する音声再生制御を説明する。図７は、その制御フローチャートを示す。
【００４７】
ＣＰＵ１２は、映像再生手段２６が映像データを再生しているか否かを判別する（Ｓ１１）。映像再生中でなければ（Ｓ１１）、音声再生制御を終了する。映像再生中の場合（Ｓ１１）、ＣＰＵ１２は、代替音声の再生中か否かを判別する（Ｓ１２）。代替音声が再生されていない場合（Ｓ１２）、処理を終了する。
【００４８】
代替音声が再生されている場合（Ｓ１２）、映像解析手段３６は、解析条件記憶手段３４に記憶される解析条件で映像再生手段２６により再生される映像を解析する（Ｓ１３）。解析条件が、例えば、図２に示す例で「映像に顔がある場合」である場合、映像解析手段３６は、映像再生手段２６による再生画像に対し、顔認識技術による映像解析を実施する。顔認識技術には公知の任意の方法を利用できるので、説明を省略する。再生画像に顔があると、映像解析手段３６は、再生画像が解析条件に合致した旨をＣＰＵ１２に通知する。
【００４９】
図２に示す例で「映像に動きがある場合」が選択された場合、映像解析手段３６は、映像再生手段２６による再生画像に対し動き検出技術による映像解析を実施する。動き検出には、公知の任意の方法を適用できる。再生画像内に一定以上の動きを検出した場合、映像解析手段３６は、再生画像が解析条件に合致した旨をＣＰＵ１２に通知する。
【００５０】
図２に示す例で「カメラデータ選択」が選択された場合、更に、図３に示す例でユーザが選択した撮影データ項目が解析条件として設定されている。映像解析手段３６は、映像再生手段２６による再生画像に付属する撮影データが解析条件に合致するか否かを判断する。撮影データが解析条件に合致する場合、映像解析手段３６は、その旨をＣＰＵ１２に通知する。
【００５１】
図２に示す例で、「シーン選択」が選択された場合、図４に示す表示例にあるように、映像記録媒体１６に記録される映像のうち、ユーザが任意に選択した映像が解析条件として設定されている。解析条件に設定された映像が映像再生手段２６により再生されると、映像解析手段３６は、姿勢映像が解析条件に合致した旨をＣＰＵ１２に通知する。
【００５２】
再生画像が解析条件に合致しない場合（Ｓ１３）、ＣＰＵ１２は、代替音声の再生出力を音声選択手段２４に指示する（Ｓ１７）。この指示に応じて、音声選択手段２４は代替音声記録媒体１８からの代替音声データを選択して音声再生手段３０に供給する。これにより、代替音声が音声出力装置３２から音響出力される。
【００５３】
再生画像が解析条件に合致する場合（Ｓ１３）、ＣＰＵ１２は、音声選択手段２４に関連音声データの再生出力を指示する。関連音声データが映像記録媒体１６に存在しない場合（Ｓ１４）、音声選択手段２４は、代替音声データを音声再生手段３０に供給する（Ｓ１７）。これにより、代替音声が音声出力装置３２から音響出力される。関連音声データが映像記録媒体１６に存在する場合（Ｓ１４）、音声選択手段２４は、関連音声データを音声再生手段３０に供給する（Ｓ１５）。これにより、関連音声が音声出力装置３２から音響出力される。
【００５４】
ステップＳ１５，Ｓ１７の後、映像再生が終了しているかどうかを調べる（Ｓ１６）。映像再生が終了していなければ（Ｓ１６）、ステップＳ１３以降を繰り返す。映像再生が終了していれば（Ｓ１６）、図７に示す制御を終了する。
【００５５】
このような音声制御により、代替音声を再生しているときでも、再生画像が所定の解析条件に合致するときには自動的に、再生画像に関連付けられた音声の再生に切り替えることができる。
【実施例２】
【００５６】
図８は、本発明の第２実施例の概略構成ブロック図を示す。図１に示す実施例とは同じ構成要素には同じ符号を付してある。
【００５７】
第１実施例の再生装置１０では、音声選択手段２４で選択した音声データを再生（復号）したが、本実施例の再生装置１１０では、映像に関連付けられた音声データと代替音声データを再生（復号）した後に混合するようにした。すなわち、音声再生手段１３０ａが、映像記録媒体１６から読み出した音声データを再生（復号）する。音声再生手段１３０ｂが、代替音声記録媒体１８からの代替音声データを再生（復号）する。そして、音声混合手段１３１が、音声再生手段１３０ａ，１３０ｂの出力音声信号を混合し、混合音声信号を音声出力装置３２に供給する。この構成では、記録媒体１６，１８からの音声データ読み出し、音声再生手段１３０ａ，１３０ｂの再生出力、又は、音声混合手段１３１における混合比を制御する。これにより、関連音声と代替音声を切り替え、又は、関連音声と代替音声の音量割合を制御できる。
【００５８】
ユーザから再生を指示されると、ＣＰＵ１１２は、映像記録媒体Ｉ／Ｆ２０に指示して、映像記録媒体１６から映像データと関連音声データを読み込ませる。映像記録媒体Ｉ／Ｆ２０は、読み込んだ映像データを映像再生手段２６に供給し、関連音声データを音声再生手段１３０ａに供給する。ＣＰＵ１１２はまた、代替音声記録媒体Ｉ／Ｆ２２に指示して、代替音声記録媒体１８から代替音声データを読み込ませる。代替音声記録媒体Ｉ／Ｆ２２は、読み込んだ代替音声データを音声再生手段１３０ｂに供給する。関連音声データと代替音声データは、映像の再生表示に同期して出力できるように、それぞれ音声再生手段１３０ａ，１３０ｂに供給される。音声混合手段１３１は、音声再生手段１３０ａ，１３０ｂからの音声信号を混合し、混合音声信号を音声出力装置３２に供給する。第１実施例と同様に、映像記録媒体Ｉ／Ｆ２０及び代替音声記録媒体Ｉ／Ｆ２２は、関連音声データ及び代替音声データをそれぞれ記録媒体１６，１８から実際に読み出さす代わりに、それらの読み出し位置を示すアドレス又はポインタを更新してもよい。
【００５９】
図９は、図８に示す実施例の音声再生制御のフローチャートを示す。ＣＰＵ１１２は、映像再生手段２６が映像データを再生しているか否かを判別する（Ｓ２１）。映像再生中であれば（Ｓ２１）、音声再生制御を終了する。映像再生中の場合（Ｓ２１）、ＣＰＵ１１２は、代替音声の再生出力中か否かを判別する（Ｓ２２）。代替音声が再生されていない場合（Ｓ２２）、処理を終了する。
【００６０】
代替音声が再生されている場合（Ｓ２２）、映像解析手段３６は、実施例１と同様に、解析条件記憶手段３４に記憶される解析条件で映像再生手段２６により再生される映像データを解析する（Ｓ２３）。映像解析手段３６は、再生画像が解析条件に合致すると、その旨をＣＰＵ１１２に通知する。
【００６１】
再生中の映像データが解析条件に合致しない場合（Ｓ２３）、ＣＰＵ１１２は、代替音声の再生に切り替える（Ｓ２７）。このとき、音声再生手段１３０ｂは、代替音声記録媒体１８からの代替音声データを再生（復号）し、再生代替音声信号を音声混合手段１３１に供給する。音声混合手段１３１は、音声再生手段１３０ｂからの代替音声信号を音声出力装置３２に供給する。これにより、代替音声が音声出力装置３２から音響出力される。音声再生手段１３０ｂの再生出力を有効にするか、音声混合手段１３１における代替音声の混合比を高くすることで、代替音声の出力状態に強制できる。図９に示すフローチャートでは、音声混合手段１３１における混合比を制御している。
【００６２】
再生画像が解析条件に合致する場合（Ｓ２３）、ＣＰＵ１１２は、映像記録媒体Ｉ／Ｆ２０を介し、映像記録媒体１６より再生中の映像に関連する関連音声が存在するか否かを判断する（Ｓ２４）。
【００６３】
関連音声が映像記録媒体１６に存在する場合（Ｓ２４）、ＣＰＵ１１２は、関連音声の再生出力を有効化する（Ｓ２５）。このとき、ＣＰＵ１１２は、音声再生手段１３０ａの音声再生出力を有効にするか、又は、音声混合手段１３１における関連音声の混合比を高くする。図９に示すフローチャートでは、音声混合手段１３１における混合比を制御している。音声再生手段１３０ａは、映像記録媒体記録媒体Ｉ／Ｆ２０からの関連音声データを再生し、再生関連音声信号を音声混合手段１３１に供給する。音声混合手段１３１は、音声再生手段１３０ａからの再生関連音声信号と音声再生手段１３０ｂからの再生代替音声信号を混合し、混合音声信号を音声出力装置３２に供給する。これにより、関連音声が、必要により代替音声と共に、音声出力装置３２から音響出力される。
【００６４】
他方、関連音声が映像記録媒体１６に存在しない場合（Ｓ２４）、ＣＰＵ１１２は、代替音声の再生出力を有効化する（Ｓ２７）。このとき、ＣＰＵ１１２は、音声再生手段１３０ｂの音声再生出力を有効にするか、又は、音声混合手段１３１における代替音声の混合比を高くする。図９に示すフローチャートでは、音声混合手段１３１における混合比を制御している。音声再生手段１３０ｂは、代替音声記録媒体Ｉ／Ｆ２２からの代替音声データを再生し、再生代替音声信号を音声混合手段１３１に供給する。音声混合手段１３１は、音声再生手段３０からの関連音声信号と音声再生手段１３０ｂからの代替音声信号を混合し、混合音声信号を音声出力装置３２に供給する。これにより、代替音声が、必要により関連音声と共に、音声出力装置３２から音響出力される。
【００６５】
ステップＳ２５，Ｓ２７の後、映像再生が終了しているかどうかを調べる（Ｓ２６）。映像再生が終了していなければ（Ｓ２６）、ステップＳ２３以降を繰り返す。映像再生が終了していれば（Ｓ２６）、図９に示す制御を終了する。
【００６６】
このような音声制御により、代替音声を再生しているときでも、再生画像が所定の解析条件に合致するときには自動的に、関連音声のみの音声再生又は関連音声を主とする音声再生に切り替えることができる。
【図面の簡単な説明】
【００６７】
【図１】本発明の一実施例の概略構成ブロック図である。
【図２】本実施例の解析条件設定画面例である。
【図３】本実施例のカメラデータ条件設定画面例である。
【図４】本発明のシーン選択条件設定画面例である。
【図５】本実施例の解析条件設定処理のフローチャートである。
【図６】本実施例の警告画面例である。
【図７】本実施例の音声再生制御のフローチャートである。
【図８】本発明の第２実施例の概略構成ブロック図である。
【図９】第１実施例の音声再生制御のフローチャートである。
【符号の説明】
【００６８】
１０・・・再生装置
１２・・・ＣＰＵ
１４・・・ＲＡＭ
１６・・・映像記録媒体
１８・・・代替音声記録媒体
２０・・・映像記録媒体Ｉ／Ｆ（インターフェース）
２２・・・代替音声記録媒体Ｉ／Ｆ（インターフェース）
２４・・・音声選択手段
２６・・・映像再生手段
２８・・・表示装置
３０・・・音声再生手段
３２・・・音声出力装置
３４・・・解析条件記憶手段
３６・・・映像解析手段
３８・・・操作部
１１０・・・再生装置
１１２・・・ＣＰＵ
１３０ａ，１３０ｂ・・・音声再生手段
１３１・・・音声混合手段
【図１】
2010171478.tif 000003
【図２】
2010171478.tif 000004
【図３】
2010171478.tif 000005
【図４】
2010171478.tif 000006
【図５】
2010171478.tif 000007
【図６】
2010171478.tif 000008
【図７】
2010171478.tif 000009
【図８】
2010171478.tif 000010
【図９】
2010171478.tif 000011